(57)【要約】【課題】  薄型表示装置と左右の支柱と底板で構成されるスタンドとの組合せで使用される薄型表示装置で、左右の支柱を矯正することによって、正確かつ容易にスタンドに載置できる薄型表示装置及びスタンドを提供する。【解決手段】  ディスプレイ１に円柱形状の取付部材３を左右２個固定し、スタンド２の左右の支柱６に固定されたＶ字溝形状を有する取付部材５と設置時に勘合させ、スタンド左右の支柱６をディスプレイ１に対して矯正させることにより、ディスプレイ１とスタンド２を位置決めして、固定ネジ８で固定する。【選択図】  図２
2008134552.tif 000002
【特許請求の範囲】
【請求項１】
画像表示を行うための薄型表示装置であって、前記薄型表示装置はそれを載置可能なスタンドとの組合せで設置、使用され、薄型表示装置において前記スタンドは前記薄型表示装置と一体的にデザインされた左右の支柱と前記左右の支柱の底面でそれぞれを固定する底板を有し、前記薄型表示装置の左右の下部に前記スタンドの前記左右の支柱に取付け固定するための第一の取付部材を有し、前記スタンドの前記支柱の夫々の上部に前記第一の取付部材と係合する第２の取付部材を有することを特徴とする薄型表示装置。
【請求項２】
正面視での前記第１の取付部材と前記第２の取付部材の係合部の形状がそれぞれ円、Ｖ字溝であることを特徴とする請求項１記載の薄型表示装置。
【請求項３】
前記スタンドの前記左右の支柱の間の距離が前記薄型表示装置の左右方向の幅と略同等であることを特徴とする請求項１記載の薄型表示装置。
【請求項４】
前記薄型表示装置の強度及び前記薄型表示装置と前記第一取付部材の固定強度、前記スタンドの前記左右の支柱と前記第２の取付部材の固定強度が前記スタンドの前記左右の支柱と前記底板の固定強度より強いことを特徴とする請求項１記載の薄型表示装置。
【請求項５】
画像表示を行うための薄型表示装置であって、前記薄型表示装置はそれを載置可能なスタンドとの組合せで設置、使用され、薄型表示装置において前記スタンドは前記薄型表示装置と一体的にデザインされた左右の支柱と前記左右の支柱の底面でそれぞれを固定する底板を有し、前記薄型表示装置の左右の下部に前記スタンドの前記左右の支柱に取付け固定するための第一の取付部材を有し、前記スタンドの前記支柱の夫々の上部に前記第一の取付部材と係合する第２の取付部材を有することを特徴とする薄型表示装置載置用スタンド。
【請求項６】
正面視での前記第１の取付部材と前記第２の取付部材の係合部の形状がそれぞれ円、Ｖ字溝であることを特徴とする請求項５記載の薄型表示装置載置用スタンド。
【請求項７】
前記スタンドの前記左右の支柱の間の距離が前記薄型表示装置の左右方向の幅と略同等であることを特徴とする請求項５記載の薄型表示装置載置用スタンド。
【請求項８】
前記薄型表示装置の強度及び前記薄型表示装置と前記第一取付部材の固定強度、前記スタンドの前記左右の支柱と前記第２の取付部材の固定強度が前記スタンドの前記左右の支柱と前記底板の固定強度より強いことを特徴とする請求項５記載の薄型表示装置載置用スタンド。
【発明の詳細な説明】
【技術分野】
【０００１】
本発明は薄型表示装置を正確かつ容易にスタンドに載置できる薄型表示装置及びスタンドに関するものである。
【背景技術】
【０００２】
近年、薄型表示装置は大画面化が進んでいる。それに伴いその存在感も大きくなり、家庭用、商業用等の装置において、インテリアの一部として、そのデザイン性に対する要求が高まっている。特に、床置き用のスタンドは薄型表示装置本体との一体感が重視され、多くは薄型表示装置本体の外形とスタンド外形がつながるようにデザインされている。また、前記したように大画面化している影響で薄型表示装置の重量が増しており、それに伴い薄型表示装置本体をスタンドに載置する際の容易性に対する要求も高まっている。
【０００３】
従来、薄型表示装置本体１０１を床置き用のスタンド（以下スタンド）１０２に載置する際は図５、図６（ａ）、（ｂ）に示すような構造が用いられている。
【０００４】
薄型表示装置本体１０１の背面下部には左右にスタンド１０２と固定するための取付部材１０３が固定されており、取付部材１０３はスタンドの取付部材１０４と係合するための凹形状１０３ａと固定ネジ１０７を取付ける取付穴１０３ｂを有している。スタンド１０２は取付部材１０３の凹形状１０３ａと係合する凸形状１０４ａと固定ネジ１０７の固定用のネジ穴１０４ｂを有する取付部材１０４を取付部材１０３と同間隔で天桟１０５の左右に固定し、薄型表示装置本体１０１を直接支える天桟１０５とその下からそれらを支え、かつユーザーが映像を視聴する際に、最適な高さになるような長さの左右２本の支柱１０６と、それら全てを支え、かつ装置にある一定の荷重が加わっても転倒しないようにできている底板１０７で構成されている。
【０００５】
薄型表示装置本体１０１をスタンド１０２に載置する際は、図６（ａ）、（ｂ）図７（ａ）、（ｂ）に示すように、薄型表示装置本体１０１をスタンド１０２の上方に運搬し、薄型表示装置本体１０１をその取付部材１０３の凹形状１０３ａとスタンド１０２の取付部材１０４の凸形状１０４ａが係合するように位置を合わせ下ろしていくと、薄型表示装置本体１０１とスタンド１０２は係合される。凹形状１０３ａは凸形状１０４ａよりわずかに大きく、かつそれぞれテーパがついているため、係合させやすくなっており、係合部は凹形状１０３ａと凸形状１０４ａの大きさの違いの分のわずかな隙間Ｚが設けてある。係合した状態で固定ネジ１０８を取付穴１０３ｂに差込みネジ穴１０４ｂに固定することによって薄型表示装置本体１０１とスタンド１０２は完全に拘束される。
【０００６】
図８（ａ）、（ｂ）は特許文献１記載の表示装置である。表示装置本体２０１はスタンド２０２に載置する際、スタンドに固定した取付部材２０３で位置決めされる。また、取付部材２０３はガイド用にテーパ形状２０３ａを有している。
【特許文献１】特開平05-022678号公報
【特許文献２】特開2004-230523号公報
【発明の開示】
【発明が解決しようとする課題】
【０００７】
しかしながら、上述した従来の技術では、薄型表示装置本体の取付部材とスタンド側の取付部材の係合部には隙間があるため、薄型表示装置本体のスタンドの左右方向に対する載置位置が片側に寄ってしまう可能性があった。
【課題を解決するための手段】
【０００８】
上述した課題を解決するため、本発明は薄型表示装置本体を載置可能なスタンドとの組合せで設置、使用される薄型表示装置おいて、前記スタンドは前記薄型表示装置本体と一体的にデザインされた左右の支柱と前記左右の支柱の底面でそれぞれを固定する固定手段を有し、前記薄型表示装置の左右の下部に前記スタンドの前記左右の支柱に取付け固定するための第一の取付手段を有し、前記スタンドの前記支柱の夫々の上部に前記第一の取付手段と係合する第２の取付手段を有することを特徴とする。
【０００９】
薄型表示装置の正面視において、前記第１の取付手段と前記第２の取付手段の係合部の形状がそれぞれ円、Ｖ字溝であることを特徴とする。
【発明の効果】
【００１０】
本発明によれば、薄型表示装置本体を載置する前の前記スタンドは底板に対して支柱をその下部で取付けてあり、上部には自由度があるので構造体とし開いた形状となっているため、強度は十分ではなく、支柱に固定されている取付部材の位置は不安定であり、傾いた状態で取付いてしまっている場合の存在する。しかし、支柱が傾いて取付いている場合でも、設置する工程のなかで薄型表示装置本体をスタンドに乗せると、薄型表示装置の重量で第１の取付部材と第２の取付部材が係合し、スタンドの左右の支柱をそれぞれ左右方向に矯正することができるので、正しい位置に容易に位置決めできる。
【００１１】
位置決めした後、薄型表示装置本体とスタンドを背面側からネジ等で固定することにより、装置全体は構造体として閉じた形状になるので、十分な強度を持つことができる。このことにより、左右の支柱の上部をつなぐハリを必要としないため、コストダウンになる。
【発明を実施するための最良の形態】
【００１２】
（実施例１）
以下、図に基づいて本発明の実施形態を薄型ディスプレイ装置に適用した場合に関して説明する。図１はこの発明に係る、ディスプレイ装置を背面から見た斜視図である。図において、１はプラズマディスプレイ、液晶ディスプレイなどの平面型の表示パネルを有する被支持体である平面型ディスプレイ１（以下、「ディスプレイ」と略記する）であり、２はディスプレイ１を底面側から保持するスタンド型の支持装置２（以下、「スタンド」と略記する。）である。
【００１３】
次に図２（ａ）、（ｂ）を用いてディスプレイ１とスタンド２の構成を説明する。図２（ａ）、（ｂ）ディスプレイ１をスタンド２に設置前の背面から見た斜視図であり、図２（ａ）は全体図を示し、図２（ｂ）は嵌合部の詳細を示す。ディスプレイ１は取付部材３と取付部材３を固定する金具４を背面下部の左右にそれぞれ２組備えている。スタンド２は取付部材５と取付部材５を固定した支柱６をそれぞれ２組とそれらを左右に固定した底板７を備えている。装置の正面側から見ると取付部材３は円形状３ａを有しており、取付部材５は取付部材３の円形状と嵌合するＶ字溝形状５ａと固定ネジ８の取付穴５ｂを有している。
【００１４】
次にディスプレイ１をスタンド２に設置する手順について説明する。ディスプレイ１をスタンド２の上方に運搬し、ディスプレイ１の取付部材３の円柱部とスタンド２の取付部材５のＶ字溝部が嵌合するようにディスプレイ１を下ろしていき、位置決めし、装置背面より固定ネジ７で固定する。
【００１５】
次に図３（ａ）、（ｂ）、図４（ａ）、（ｂ）を用いて、前記した設置手順のなかの位置決め構造の詳細を説明するが、前記したようにスタンド２の構成は底板７に対して支柱をその下部で取付けてあり、構造体とし開いた形状なので強度が十分ではなく、さらに支柱の上部に自由度があるため、支柱が傾いて取付いてしまう場合があるので、その状態での位置決め構造を説明する。図３は本発明に係る、ディスプレイ装置の正面図で、左右の支柱が外側に傾いた状態を示あり、（ａ）はディスプレイの設置前であり、（ｂ）は設置後である。本発明では、図３（ａ）、（ｂ）に示すようにディスプレイ１を設置すると同時にスタンド２の支柱６を矯正すること目的としているが、まずはそれぞれ支柱６が矯正される構造について説明する。図４はディスプレイ装置の正面図で、左側の支柱が外側に傾いた状態の詳細図であり、（ａ）は設置時に取付部材３と取付部材５が接触した瞬間の状態を示し（ｂ）は取付部材３と取付部材５が嵌合し、位置決めされた状態を示す。
【００１６】
図４に示すように、取付部材３と取付部材５が接触点Ｐで接触した瞬間、外側に倒れた左側の支柱６には、ディスプレイの重量による荷重Ｍ１が下方向にかかる。荷重Ｍ１はＶ字溝形状５ａによって接面と平行な方向の力Ｍ２と接面と垂直な方向の力Ｍ３に分解される。この時Ｍ２により、取付部材３（ディスプレイ１）はＶ字溝５ａに沿って左下へ移動し、２つの接点Ｒ、ＳでＶ字溝５ａと接触し、取付部材５と嵌合する。また、同時にＭ３により、支柱６は支柱６と底板７の接点を支点Ｑとして発生するモーメントＮによって、時計回りに回転し、やがてその底面と底板７が完全に接触し、矯正される。この２つの事象（嵌合と矯正）により、取付部材３と取付部材５および支柱６は左右方向に位置決めされる。
【００１７】
前記位置決め構造は左側の支柱においてであるが、右側の支柱においても同様に位置決めされる。このことにより、図３に示すディスプレイ１の取付部材３の取付距離Ｘとスタンド２の取付部材５の取付距離Ｙが異なる場合でもディスプレイ1の重量によって、取付部材３と取付部材５が嵌合し、支柱６が矯正され、スタンド２の取付距離Ｙがディスプレイ１の取付部材３の取付距離Ｘと等しくなり、ディスプレイ１とスタンド２の左右方向は位置決めされる。また、ディスプレイ１と金具４の間に取付部材５の外形が嵌合するので、ディスプレイ１から手を離してもスタンド２から転倒、落下しない。さらにディスプレイ１背面側から固定ネジ８にて固定することによりディスプレイ１の前後方向も拘束され、構造体としても閉じた形状になり、ディスプレイ１とスタンド２は完全に固定される。
【００１８】
本実施形態ではディスプレイ１をスタンド２に設置する際に、左右方向の位置決めが正確で容易にできる。さらに、スタンド２の左右の支柱６の上部をつなぐハリを必要としないため安価である。
【００１９】
また、ディスプレイ１を運搬しスタンド２に設置する際は、通常、少なくとも２人の作業者がディスプレイ１の左右にある取手を持って行うので、作業者はディスプレイ１およびスタンド２を側面から見ることになるため、取付部材３の円柱形状３ａと取付部材５のＶ字溝形状５ａを確認しながら設置できる。
【図面の簡単な説明】
【００２０】
【図１】本発明に係る、ディスプレイ装置を背面から見た斜視図である。
【図２】本発明に係る、ディスプレイ装置を設置前の背面から見た斜視図である。（ａ）は全体図である。（ｂ）は嵌合部の詳細図である。
【図３】本発明に係る、ディスプレイ装置の正面図である。（ａ）はディスプレイの設置前であり、（ｂ）は設置後である。
【図４】本発明に係る、左側の支柱の詳細図である。（ａ）はディスプレイの設置前であり、（ｂ）は設置後である。
【図５】従来の技術に係る、ディスプレイ装置を背面から見た斜視図である。
【図６】従来の技術に係る、ディスプレイ設置構造を設置前の背面から見た斜視図である。（ａ）は全体図である。（ｂ）は勘合部の詳細図である。
【図７】従来の技術に係る、ディスプレイディスプレイの設置構造の正面図である。（ａ）はディスプレイの設置前であり、（ｂ）は設置後である。
【図８】従来の技術に係る、特許文献１記載の表示装置である。（ａ）は全体図である。（ｂ）は取付部材の詳細図である。
【符号の説明】
【００２１】
１  ディスプレイ
１ａ  ネジ穴
２  スタンド（支持装置）
３  取付部材
３ａ  円形状
４  金具
５  取付部材
５ａ  Ｖ字溝形状
５ｂ  取付穴
６  支柱
７  底板
８  固定ネジ
１０１  ディスプレイ
１０２  スタンド
１０３  取付部材
１０３ａ  凹形状
１０３ｂ  取付穴
１０４  取付部材
１０４ａ  凸形状
１０４ｂ  ネジ穴
１０５  天桟
１０６  支柱
１０７  底板
１０８  固定ネジ
２０１  表示装置本体
２０２  スタンド
２０３  取付部材
２０３ａ  テーパ
【図１】
2008134552.tif 000003
【図２】
2008134552.tif 000004
【図３】
2008134552.tif 000005
【図４】
2008134552.tif 000006
【図５】
2008134552.tif 000007
【図６】
2008134552.tif 000008
【図７】
2008134552.tif 000009
【図８】
2008134552.tif 000010